(57)【要約】【課題】映像表示に伴う光の放射に起因する不都合を解消し得るテレビを提供する。【解決手段】表示部１７と、表示部１７を制御する制御部とを備え、制御部は、表示部１７に対する映像Ｐの表示開始を指示する指示操作（例えばリモコンの電源キーに対する操作）と共に所定の第１操作（例えばリモコンのダウンキーに対する操作）が行われたときに、表示部１７の全表示領域Ａａのうちの一部の領域Ａｐにのみ映像Ｐを表示させる一部領域表示処理を実行する。【選択図】図５
2007208772.tif 000002
【特許請求の範囲】
【請求項１】
表示部と、前記表示部を制御する制御部とを備えたテレビであって、
前記制御部は、前記表示部に対する映像の表示開始を指示する指示操作と共に所定の第１操作が行われたときに、当該表示部の全表示領域のうちの一部の領域にのみ当該映像を表示させる一部領域表示処理を実行するテレビ。
【請求項２】
表示部と、前記表示部を制御する制御部とを備えたテレビであって、
前記制御部は、前記表示部に対する映像の表示開始を指示する指示操作が行われた時から当該表示部による当該映像の表示が開始されるまでの間に第１操作が行われたときに、当該表示部の全表示領域のうちの一部の領域にのみ当該映像を表示させる一部領域表示処理を実行するテレビ。
【請求項３】
操作部の所定スイッチに対するスイッチ操作に前記第１操作を対応付け可能に構成され、
前記制御部は、前記指示操作と共に前記操作部の前記所定スイッチが操作されたときに前記一部領域表示処理を実行する請求項１記載のテレビ。
【請求項４】
操作部の所定スイッチに対するスイッチ操作に前記第１操作を対応付け可能に構成され、
前記制御部は、前記指示操作が行われた時から前記表示部による前記映像の表示が開始されるまでの間に前記操作部の前記所定スイッチが操作されたときに前記一部領域表示処理を実行する請求項２記載のテレビ。
【請求項５】
前記一部の領域の大きさを設定可能に構成され、
前記制御部は、前記一部領域表示処理の実行時において、前記設定された大きさの前記一部の領域に前記映像を表示させる請求項１から４のいずれかに記載のテレビ。
【請求項６】
前記全表示領域における前記一部の領域の位置を設定可能に構成され、
前記制御部は、前記設定された位置の前記一部の領域に前記映像を表示させる請求項１から５のいずれかに記載のテレビ。
【請求項７】
前記制御部は、前記一部領域表示処理の実行時において所定の第２操作が行われたときに、前記全表示領域に前記映像を表示させる請求項１から６のいずれかに記載のテレビ。
【発明の詳細な説明】
【技術分野】
【０００１】
本発明は、表示部と、表示部を制御する制御部とを備えているテレビに関するものである。
【背景技術】
【０００２】
例えば、特開平１１−８８７８８号公報には、一般的なテレビが開示されている。このテレビでは、チューナが、アンテナで受信したテレビジョン放送波を中間周波数増幅回路（ＩＦ回路）に出力し、ＩＦ回路が、テレビジョン放送波から映像信号を抽出して映像信号処理回路に出力する。また、このテレビジョン受像機では、映像信号処理回路が映像信号を信号処理して表示部に出力することにより、映像信号に基づく映像が表示部における全表示領域に表示される。
【特許文献１】特開平１１−８８７８８号公報（第３頁、第１図）
【発明の開示】
【発明が解決しようとする課題】
【０００３】
ところが、上記のテレビには、以下の問題点が存在する。すなわち、このテレビでは、映像信号に基づく映像が表示部の全表示領域に表示されている。このため、映像が表示された表示部の全表示領域を光源とする光が放射される。したがって、例えば暗い室内に就寝中の人がいる場合において、その部屋の中でテレビを視聴しようとするときには、表示部を光源とする光が暗い室内に放射されて室内が明るくなるため、就寝中の人の睡眠の妨げとなるという問題点が存在する。
【０００４】
本発明は、かかる問題点に鑑みてなされたものであり、映像表示に伴う光の放射に起因する不都合を解消し得るテレビを提供することを主目的とする。
【課題を解決するための手段】
【０００５】
上記目的を達成すべく本発明に係るテレビは、表示部と、前記表示部を制御する制御部とを備えたテレビであって、前記制御部は、前記表示部に対する映像の表示開始を指示する指示操作と共に所定の第１操作が行われたときに、当該表示部の全表示領域のうちの一部の領域にのみ当該映像を表示させる一部領域表示処理を実行する。
【０００６】
このテレビでは、制御部が、表示部に対する映像の表示開始を指示する指示操作と共に所定の第１操作が行われたときに、表示部の全表示領域の一部の領域にのみ映像を表示させる。このため、全表示領域に映像を表示させることによって全表示領域から光が放射されるときと比較して、放射される光の量を低減させることができる。この場合、例えば就寝中の人がいる暗い室内でテレビを視聴しようとするときに、表示部を光源とする光が放射されたとしても室内が必要以上に明るくならないため、就寝中の人の睡眠が妨げられる事態を回避することができる。したがって、このテレビによれば、映像表示に伴う光の放射に起因する不都合を解消することができる。
【０００７】
また、本発明に係るテレビは、表示部と、前記表示部を制御する制御部とを備えたテレビであって、前記制御部は、前記表示部に対する映像の表示開始を指示する指示操作が行われた時から当該表示部による当該映像の表示が開始されるまでの間に第１操作が行われたときに、当該表示部の全表示領域のうちの一部の領域にのみ当該映像を表示させる一部領域表示処理を実行する。
【０００８】
このテレビでは、制御部が、指示操作が行われた時から映像の表示が開始されるまでの間に第１操作が行われたときに、表示部の全表示領域の一部の領域にのみ映像を表示させる。このため、全表示領域に映像を表示させることによって全表示領域から光が放射されるときと比較して、放射される光の量を低減させることができる。この場合にも、就寝中の人の睡眠が妨げられる事態を回避することができる。したがって、このテレビによれば、映像表示に伴う光の放射に起因する不都合を解消することができる。
【０００９】
また、本発明に係るテレビは、上記のテレビにおいて、操作部の所定スイッチに対するスイッチ操作に前記第１操作を対応付け可能に構成され、前記制御部は、前記指示操作と共に前記操作部の前記所定スイッチが操作されたときに前記一部領域表示処理を実行する。
【００１０】
このテレビでは、所定スイッチに対するスイッチ操作に第１操作を対応付け可能に構成され、制御部が、指示操作と共に所定スイッチが操作されたときに一部領域表示処理を実行する。このため、例えば第１操作専用のスイッチを備える構成と比較して、操作部の部品点数を低減することができる。したがって、操作部を含むテレビ全体の部品点数を低減することができる結果、本発明に係るテレビを安価に提供することができる。また、操作部のスイッチのうちから操作し易いスイッチ（例えば大きな操作キーが取り付けられたスイッチ）に対するスイッチ操作に第１操作を対応付けることができるため、第１操作に対する操作性を向上させることができる。
【００１１】
また、本発明に係るテレビは、上記のテレビにおいて、操作部の所定スイッチに対するスイッチ操作に前記第１操作を対応付け可能に構成され、前記制御部は、前記指示操作が行われた時から前記表示部による前記映像の表示が開始されるまでの間に前記操作部の前記所定スイッチが操作されたときに前記一部領域表示処理を実行する。
【００１２】
このテレビでは、所定スイッチに対するスイッチ操作に第１操作を対応付け可能に構成され、制御部が、指示操作が行われた時から表示部による映像の表示が開始されるまでの間に所定スイッチが操作されたときに一部領域表示処理を実行する。このため、例えば第１操作専用のスイッチを備える構成と比較して、操作部の部品点数を低減することができる。したがって、操作部を含むテレビ全体の部品点数を低減することができる結果、本発明に係るテレビを安価に提供することができる。また、操作部のスイッチのうちから操作し易いスイッチに対するスイッチ操作に第１操作を対応付けることができるため、第１操作に対する操作性を向上させることができる。
【００１３】
また、本発明に係るテレビは、上記のテレビにおいて、前記一部の領域の大きさを設定可能に構成され、前記制御部は、前記一部領域表示処理の実行時において、前記設定された大きさの前記一部の領域に前記映像を表示させる。
【００１４】
このテレビでは、制御部が、一部領域表示処理の実行時において、設定された大きさの一部の領域に映像を表示させる。このため、例えば、ユーザーは、睡眠の妨げ回避を考慮した上で、一部の領域の大きさを所望の大きさとなるように自由に設定することができる。
【００１５】
また、本発明に係るテレビは、上記のテレビにおいて、前記全表示領域における前記一部の領域の位置を設定可能に構成され、前記制御部は、前記設定された位置の前記一部の領域に前記映像を表示させる。
【００１６】
このテレビでは、全表示領域における一部の領域の位置を設定可能に構成され、制御部が、設定された位置の一部の領域に映像を表示させる。このため、例えば、その位置を全表示領域の下側に設定することで、表示部の前方で視聴しているユーザーによって一部の領域から放射される光の室内への拡散が阻まれるため、放射された光によって室内が必要以上に明るくなる事態を回避することができる結果、映像表示に伴う光の放射に起因する不都合を確実に解消することができる。
【００１７】
また、本発明に係るテレビは、上記のテレビにおいて、前記制御部は、前記一部領域表示処理の実行時において所定の第２操作が行われたときに、前記全表示領域に前記映像を表示させる。
【００１８】
このテレビでは、制御部が、一部領域表示処理の実行時において所定の第２操作が行われたときに、全表示領域に映像を表示させる。このため、第２操作を行うだけで全表示領域に映像を表示させることができる結果、例えばテレビを停止した後に改めてテレビを動作させることで全表示領域に映像を表示させる構成と比較して、全表示領域に対して映像を容易に表示させることができる。
【発明を実施するための最良の形態】
【００１９】
以下、本発明に係るテレビの最良の形態について、添付図面を参照して説明する。図１に示すプロジェクションテレビ（以下、単に「テレビ」ともいう）１は、本発明に係るテレビの一例であって、同図に示すように、本体部２およびリモコン３を備えて構成されている。本体部２は、選局処理部１１、チューナ１２、選局情報保存部１３、信号切替部１４、映像音声処理部１５、映像出力部１６、表示部１７、音声出力部１８、スピーカ１９、受光部２０、キー入力処理部２１、電源部２２、制御部２３および設定情報保存部２４を備えている。
【００２０】
選局処理部１１は、制御部２３の制御に従い、チューナ１２に対して所定のチャンネルを選局させてそのチャンネルの放送信号Ｓｂを抽出させる。チューナ１２は、一例として、ＢＳデジタル放送、１１０度ＣＳデジタル放送、地上デジタル放送および地上アナログ放送を受信可能に構成されて、選局処理部１１の制御に従い、所定のチャンネルを選局してそのチャンネルの放送信号Ｓｂを図外のアンテナで受信した放送波から抽出して信号切替部１４に出力する。
【００２１】
選局情報保存部１３は、リモコン３の各チャンネル指定キー３１ｂ（図２参照）と各チャンネル指定キー３１ｂに割り当てられるチャンネル（チャンネルの番号）とを対応付ける選局情報Ｄｃを記憶する。信号切替部１４は、制御部２３の制御に従い、図１に示す入力端子２５ａ，２５ｂ，２５ｃ（以下、区別しないときには「入力端子２５」ともいう）を介して入力する各外部装置１００ａ，１００ｂ，１００ｃ（以下、区別しないときには「外部装置１００」ともいう）からの外部信号Ｓｅ、およびチューナ１２によって抽出されている放送信号Ｓｂのうちのいずれかを切り替えて入力信号Ｓｃとして映像音声処理部１５に出力する。映像音声処理部１５は、制御部２３の制御に従い、信号切替部１４から出力される入力信号Ｓｃに基づく映像信号Ｄｐおよび音声信号Ｄｖを映像出力部１６および音声出力部１８にそれぞれ出力する。映像出力部１６は、制御部２３の制御に従い、映像音声処理部１５から出力された映像信号Ｄｐを映像Ｐや設定画面Ｐｓ（図２，４〜６参照）の表示用の映像信号Ｓｐに変換して表示部１７に出力する。
【００２２】
表示部１７は、一例として、光学エンジンおよびスクリーンパネル（いずれも図示せず）を備え、映像出力部１６から出力された映像信号Ｓｐに対応する映像Ｐを表示する。具体的には、この表示部１７は、出力された映像信号Ｓｐに基づいて光源ランプからの投射光を光変調してスクリーンパネルに背面側から投射することで各種映像Ｐを表示する。この場合、上記の光学エンジンは、例えば、光変調素子（一例として、デジタルマイクロミラーデバイスや液晶ライトバルブ）と、投射レンズ（いずれも図示せず）とを備えて構成されている。また、光源ランプは、一例として、メタルハライドランプや高圧水銀ランプで構成されて、光源ランプ駆動制御部から供給される光源ランプ駆動パルスによって点灯させられて、白色の投射光を射出する。
【００２３】
音声出力部１８は、制御部２３の制御に従い、映像音声処理部１５から出力された音声信号Ｄｖを増幅して音声信号Ｓｖとしてスピーカ１９に出力する。スピーカ１９は、音声出力部１８から出力された音声信号Ｓｖに基づく音声を出力する。なお、本明細書における「音声」には、人の声のみならず、鳥の鳴き声、風の音および音楽等の各種の「音」が含まれる。受光部２０は、リモコン３から出力される赤外線信号Ｓｉを受光して復調信号Ｓｄを出力する。キー入力処理部２１は、受光部２０から出力された復調信号Ｓｄに対応する（つまりリモコン３の操作キーに対応する）操作信号Ｓｏを制御部２３に出力する。電源部２２は、キー入力処理部２１および制御部２３に電源を常時供給すると共に制御部２３の制御に従ってテレビ１の各構成要素に電源を供給する。
【００２４】
制御部２３は、キー入力処理部２１から出力された操作信号Ｓｏに従い、選局処理部１１、信号切替部１４、映像音声処理部１５、映像出力部１６、音声出力部１８および電源部２２を制御する。また、制御部２３は、リモコン３の電源キー３１ａ（図２参照）が操作されて、電源キー３１ａに対応する操作信号Ｓｏがキー入力処理部２１から出力されたときには、図３に示す表示開始処理５０を実行する。この場合、制御部２３は、表示部１７に対する映像Ｐの表示開始を指示する指示操作（例えば図２に示すリモコン３の電源キー３１ａに対する操作）と共に、所定の第１操作（以下、この第１操作を「開始操作」ともいう：例えば図２に示すダウンキー３１ｄに対する操作）が行われたときに、図５，６に示すように、表示部１７の全表示領域Ａａのうちの一部の領域Ａｐにのみ映像Ｐを表示させる一部領域表示処理を実行する。また、制御部２３は、指示操作が行われた時から表示部１７による映像Ｐの表示が開始されるまでの間に開始操作が行われたときにも、一部領域表示処理を実行する。
【００２５】
さらに、制御部２３は、一部領域表示処理の実行時において、所定の第２処理（以下、この第２操作を「終了操作」ともいう：例えばリモコン３のアップキー３１ｃに対する操作）が行われたときには、図２に示すように、表示部１７の全表示領域Ａａに映像Ｐを表示させる。また、制御部２３は、図４に示す設定画面Ｐｓを表示させると共に、設定画面Ｐｓ上で設定された内容を示す設定情報Ｄｓを設定情報保存部２４に出力する。設定情報保存部２４は、制御部２３から出力された設定情報Ｄｓを記憶する。
【００２６】
リモコン３は、本発明における操作部に相当し、図２に示すように、本体部２とは別体に形成されている。また、リモコン３は、電源キー３１ａ、１２個のチャンネル指定キー３１ｂ、アップキー３１ｃ、ダウンキー３１ｄおよび設定キー３１ｅなど（以下、電源キー３１ａから設定キー３１ｅまでを区別しないときには「操作キー３１」ともいう）がそれぞれ取り付けられた各スイッチを備えて構成されている。この場合、リモコン３は、これらの操作キー３１に対する操作（つまり、スイッチに対するスイッチ操作）が行われたときに、各操作キー３１に対応する赤外線信号Ｓｉを出力（送信）する。また、リモコン３は、複数の操作キー３１が同時に操作されたときには、操作された全ての操作キー３１を特定可能な赤外線信号Ｓｉを出力する。
【００２７】
次に、テレビ１の全体的な動作について、図面を参照して説明する。なお、テレビ１では、初期状態において、常時電源が供給されているキー入力処理部２１および制御部２３は起動しているものの、映像Ｐの表示は停止されているものとする。このテレビ１では、図２に示すリモコン３の電源キー３１ａが操作されたときには、リモコン３が電源キー３１ａに対応する赤外線信号Ｓｉを出力し、受光部２０が赤外線信号Ｓｉを受光して復調信号Ｓｄを出力する。また、キー入力処理部２１がその復調信号Ｓｄに対応する操作信号Ｓｏを制御部２３に出力する。これに応じて、制御部２３が、図３に示す表示開始処理５０を実行する。この表示開始処理５０では、制御部２３は、操作信号Ｓｏに基づいて、電源キー３１ａと共に操作された操作キー３１を特定する（ステップ５１）。この場合、制御部２３は、電源キー３１ａと共に操作された他の操作キー３１がないと判別する。次いで、制御部２３は、指示操作と共に開始操作が行われたか否かを判別する（ステップ５２）。具体的には、制御部２３は、電源キー３１ａと共にダウンキー３１ｄが操作されたか否かを判別する。この例では、電源キー３１ａのみが操作されているため、制御部２３は、指示操作と共に開始操作が行われていないと判別して、図２に示す全表示領域Ａａに映像Ｐを表示させるように、後述するステップ５７の表示処理において表示させる映像Ｐの大きさを決定する（ステップ５３）。
【００２８】
続いて、制御部２３は、テレビ１の各構成要素を起動させる起動処理を開始する（ステップ５４）。この起動処理では、制御部２３は、まず、電源部２２を制御して、テレビ１の各構成要素（正確には、キー入力処理部２１および制御部２３以外の構成要素）に対する電源の供給を開始させる。また、制御部２３は、選局処理部１１を制御することにより、直前の電源切断時に選局されていたチャンネル（例えばＢＳ１０２チャンネル）の放送信号Ｓｂをチューナ１２に抽出させる。また、制御部２３は、信号切替部１４を制御することにより、入力端子２５を介して各外部装置１００から入力されている外部信号Ｓｅ、およびチューナ１２によって抽出されている放送信号Ｓｂのうちから、例えば放送信号Ｓｂを入力信号Ｓｃとして映像音声処理部１５に出力させる。
【００２９】
次いで、制御部２３は、指示操作の後に開始操作が行われたか否かを判別する（ステップ５５）。具体的には、制御部２３は、電源キー３１ａが操作された後にダウンキー３１ｄが操作されたか否かを判別する。この際に、ダウンキー３１ｄが操作されていないときには、制御部２３は、起動処理が終了したか否かを判別する（ステップ５６）。具体的には、制御部２３は、テレビ１を起動させる際に最も時間を必要とする処理（例えば、表示部１７を映像表示可能な状態に起動させる処理）に要する時間ｔ（例えば３０秒）が経過したか否かを判別する。この場合、時間ｔが経過していないときには、制御部２３は、ステップ５５における判別処理を再度実行する。
【００３０】
この際に、例えば、全表示領域Ａａに映像Ｐを表示させるときには、ユーザーは、ダウンキー３１ｄを操作することなく映像Ｐが表示されるまで待機する。この場合、制御部２３は、時間ｔが経過するまでステップ５５，５６の判別処理を繰り返し実行する。次いで、時間ｔが経過したときには、制御部２３は、起動処理が終了したとして、表示処理を実行する（ステップ５７）。この表示処理では、制御部２３は、まず、映像音声処理部１５を制御して、信号切替部１４から出力された入力信号Ｓｃに基づく映像信号Ｄｐおよび音声信号Ｄｖを映像出力部１６および音声出力部１８にそれぞれ出力させる。続いて、制御部２３は、映像出力部１６を制御して、全表示領域Ａａに映像Ｐを表示させるように映像信号Ｄｐを映像信号Ｓｐに変換させて表示部１７に出力させる。次いで、表示部１７の光学エンジンが映像信号Ｓｐに基づいて変調した投射光をスクリーンパネルに投射する。これにより、表示部１７の全表示領域Ａａには、図２に示すように、ＢＳ１０２チャンネルの映像Ｐが表示される。また、音声出力部１８が、映像音声処理部１５から出力された音声信号Ｄｖを増幅して音声信号Ｓｖをスピーカ１９に出力し、スピーカ１９が、音声信号Ｓｖに基づくＢＳ１０２チャンネルの音声を出力する。このように、制御部２３は、映像Ｐの表示および音声の出力を開始させて、表示開始処理５０を終了する。
【００３１】
次に、例えば、設定画面Ｐｓを表示させるための設定キー３１ｅが操作されたときは、リモコン３が、設定キー３１ｅに対応する赤外線信号Ｓｉを出力し、キー入力処理部２１が、操作信号Ｓｏを制御部２３に出力する。これに応じて、制御部２３は、図４に示すように、設定画面Ｐｓを表示させる。この場合、この設定画面Ｐｓでは、その設定項目として、一部領域表示処理の際に必要とされる「位置」、「大きさ」、「開始キー」および「終了キー」が選択可能となっている。
【００３２】
ここで、設定画面Ｐｓに示される「位置」は、全表示領域Ａａにおける領域Ａｐ（図５，６参照）の位置を設定するための項目である。例えば、設定画面Ｐｓでは、この「位置」として、「右下」、「左下」、「右上」および「左上」の４つのうちのいずれかがプルダウンメニュー形式で選択可能となっている。この場合、例えば、図４に示すように、「右下」を選択することにより、全表示領域Ａａの右下側に領域Ａｐの位置が設定される。したがって、この選択により、領域Ａｐから放射される光の拡散は表示部１７の前方で映像Ｐを視聴しているユーザーによって阻まれる。また、設定画面Ｐｓに示される「大きさ」は、領域Ａｐの大きさを設定するための項目である。例えば、設定画面Ｐｓでは、この「大きさ」として、全表示領域Ａａに対する領域Ａｐの面積比を示す「１／４」、「１／９」および「１／１６」の３つのうちのいずれかが例えばプルダウンメニュー形式で選択可能となっている。これにより、ユーザーは、睡眠の妨げ回避を考慮した上で、所望の大きさの領域Ａｐとなるように自由に設定することが可能となる。この場合、例えば、図４に示すように、「１／４」を選択することにより、領域Ａｐの大きさが全表示領域Ａａの１／４に設定される。
【００３３】
また、設定画面Ｐｓに示される「開始キー」は、所定の操作キー３１に対する操作に開始操作を対応付けるための項目である。例えば、設定画面Ｐｓでは、この「開始キー」として、「アップキー」および「ダウンキー」のいずれかがプルダウンメニュー形式で選択可能となっている。この場合、例えば、「ダウンキー」を選択することにより、ダウンキー３１ｄに対する操作が開始操作に対応付けられる。この場合、リモコン３の操作キー３１のうちから操作し易い操作キー３１（例えば大きな操作キー：この例ではダウンキー３１ｄ）に対する操作に開始操作を対応付けることが可能となるため、開始操作に対する操作性が向上される。また、設定画面Ｐｓに示される「終了キー」は、所定の操作キー３１に対する操作に終了操作を対応付けるための項目である。例えば、設定画面Ｐｓでは、この「終了キー」として、「アップキー」および「ダウンキー」のいずれかがプルダウンメニュー形式で選択可能となっている。この場合、例えば、「アップキー」を選択することにより、アップキー３１ｃに対する操作が終了操作に対応付けられる。この例では、図４に示すように各項目が設定されたものとする。次いで、制御部２３は、設定画面Ｐｓ上で設定された内容を示す設定情報Ｄｓを設定情報保存部２４に出力する。設定情報保存部２４は、制御部２３から出力された設定情報Ｄｓを記憶する。続いて、電源キー３１ａが再度操作されたときには、制御部２３は、テレビ１の各構成要素に対する電源の供給を終了させる。
【００３４】
また、テレビ１を起動させ、かつその際に図５に示す領域Ａｐにのみ映像Ｐを表示させるときには、電源キー３１ａに対する操作と共に、設定画面Ｐｓ上で開始操作に対応付けたダウンキー３１ｄを操作する。この際に、リモコン３は、電源キー３１ａおよびダウンキー３１ｄを特定可能な赤外線信号Ｓｉを出力し、キー入力処理部２１は、操作信号Ｓｏを制御部２３に出力する。これに応じて、制御部２３は表示開始処理５０を実行する。この表示開始処理５０では、制御部２３は、電源キー３１ａと共に操作された操作キー３１を特定する（ステップ５１）。
【００３５】
次いで、制御部２３は、ステップ５２において電源キー３１ａと共にダウンキー３１ｄが操作されたか否かを判別する。この場合、制御部２３は、指示操作と共に開始操作が行われたと判別して、設定情報保存部２４から設定情報Ｄｓを読み込む。続いて、制御部２３は、ステップ５７の表示処理において映像Ｐを表示させる領域Ａｐの位置および大きさについて、設定情報Ｄｓの示す領域Ａｐの位置（この例では右下側）および大きさ（この例では全表示領域Ａａの１／４）に決定する（ステップ５８）。続いて、制御部２３は、上記の処理と同様にして、起動処理を開始する（ステップ５４）。次いで、制御部２３は、ステップ５５において電源キー３１ａが操作された後にダウンキー３１ｄが操作されたか否かを判別する。この際に、ダウンキー３１ｄが操作されていないときには、制御部２３は、ステップ５６において時間ｔが経過したか否かを判別する。この場合、時間ｔが経過していないときには、制御部２３は、ステップ５５における判別処理を再度実行する。
【００３６】
この場合、ユーザーは、電源キー３１ａと共にダウンキー３１ｄを既に操作しているため、ダウンキー３１ｄを操作することなく映像Ｐが表示されるまで待機する。この際に、時間ｔが経過したときには、制御部２３は、一部領域表示処理を実行する（ステップ５７）。この一部領域表示処理では、制御部２３は、ステップ５８で決定した位置であって、同じくステップ５８で決定した大きさの領域Ａｐに映像Ｐを表示させるように映像信号Ｄｐを映像信号Ｓｐに変換させて表示部１７に出力させる。これにより、表示部１７の領域Ａｐには、図５に示すように、全表示領域Ａａに表示するときと比較して１／４に縮小された映像Ｐが表示される。また、制御部２３は、上記の処理と同様に処理して、音声の出力も開始させて、表示開始処理５０を終了する。
【００３７】
この場合、このテレビ１では、指示操作と共に開始操作が行われたとき（つまり、電源キー３１ａと共にダウンキー３１ｄが操作されたとき）に、制御部２３が、領域Ａｐにのみ映像Ｐを表示させている。このため、全表示領域Ａａに映像Ｐを表示させて、その全表示領域Ａａから光が放射されるときと比較して、放射される光の量が低減されている。このため、例えば就寝中の人がいる暗い室内でテレビ１を視聴しようとするときに表示部１７を光源とする光が暗い室内に放射されたとしても室内が必要以上に明るくならないため、就寝中の人の睡眠が妨げられる事態が回避される。したがって、映像表示に伴う光の放射に起因する不都合が解消される。
【００３８】
また、領域Ａｐに映像Ｐを表示させるときに、電源キー３１ａのみを操作してテレビ１を起動させることもできる。この場合、電源キー３１ａに対応する赤外線信号Ｓｉがリモコン３から出力されて、キー入力処理部２１は、操作信号Ｓｏを制御部２３に出力する。これに応じて、制御部２３は表示開始処理５０を実行する。この表示開始処理５０では、制御部２３は、電源キー３１ａと共に操作されたリモコン３の操作キー３１を特定する（ステップ５１）。この場合、制御部２３は、電源キー３１ａと共に操作された他の操作キー３１がないと判別する。次いで、制御部２３は、ステップ５２において指示操作と共に開始操作が行われていないと判別して、図２に示す全表示領域Ａａに映像Ｐを表示させるように、ステップ５７の表示処理において表示させる映像Ｐの大きさを決定する（ステップ５３）。
【００３９】
続いて、制御部２３は、上記の処理と同様にして、起動処理を開始する（ステップ５４）。次いで、制御部２３は、ステップ５５において電源キー３１ａが操作された後にダウンキー３１ｄが操作されたか否かを判別する。この際に、ダウンキー３１ｄが操作されていないときには、制御部２３は、ステップ５６において時間ｔが経過したか否かを判別する。この場合、時間ｔが経過していないときには、制御部２３は、ステップ５５における判別処理を再度実行する。
【００４０】
この場合、ユーザーは、時間ｔが経過するまでの間にダウンキー３１ｄを操作する。この際に、制御部２３は、指示操作の後に開始操作が行われたと判別して、設定情報保存部２４から設定情報Ｄｓを読み込む。次いで、制御部２３は、ステップ５７において映像Ｐを表示させる領域Ａｐの位置および大きさについて、設定情報Ｄｓの示す領域Ａｐの位置（この例では右下側）および大きさ（この例では全表示領域Ａａの１／４）に決定する（ステップ５９）。
【００４１】
続いて、制御部２３は、上記の処理と同様にして、一部領域表示処理を実行する（ステップ５７）。これにより、表示部１７の領域Ａｐには、図５に示すように、映像Ｐが表示される。また、制御部２３は、上記の処理と同様に処理して、音声の出力も開始させて、表示開始処理５０を終了する。この場合、このテレビ１では、指示操作が行われた時から映像Ｐの表示が開始されるまでの間に開始操作が行われたときに、制御部２３が、領域Ａｐにのみ映像を表示させる。このため、この際にも、指示操作と共に開始操作が行われたときと同様にして、映像表示に伴う光の放射に起因する不都合が解消される。
【００４２】
一方、映像Ｐが領域Ａｐに表示されている状態において映像Ｐを表示させる領域を全表示領域Ａａに切り替えたいときには、設定画面Ｐｓ上で終了操作に対応付けたアップキー３１ｃを操作する。この際には、アップキー３１ｃに対応する赤外線信号Ｓｉがリモコン３から出力されて、キー入力処理部２１は、操作信号Ｓｏを制御部２３に出力する。これに応じて、全表示領域Ａａに映像Ｐを表示させる処理を実行する。この処理では、制御部２３は、全表示領域Ａａに映像Ｐを表示させるように映像信号Ｄｐを映像信号Ｓｐに変換させて表示部１７に出力させる。これにより、図２に示すように、映像Ｐが表示部１７の全表示領域Ａａに表示される。
【００４３】
このように、このテレビ１によれば、指示操作と共に開始操作が行われたときに、制御部２３が、領域Ａｐにのみ映像Ｐを表示させることにより、全表示領域Ａａに映像Ｐを表示させることによって全表示領域Ａａから光が放射されるときと比較して、放射される光の量を低減させることができる。この場合、例えば就寝中の人がいる暗い室内でテレビ１を視聴しようとするときに表示部１７を光源とする光が放射されたとしても室内が必要以上に明るくならないため、就寝中の人の睡眠が妨げられる事態を回避することができる。したがって、このテレビ１によれば、映像表示に伴う光の放射に起因する不都合を解消することができる。
【００４４】
また、このテレビ１によれば、指示操作が行われた時から映像Ｐの表示が開始されるまでの間に開始操作が行われたときに、制御部２３が、領域Ａｐにのみ映像を表示させることにより、全表示領域Ａａに映像Ｐを表示させることによって全表示領域Ａａから光が放射されるときと比較して、放射される光の量を低減させることができる。この場合にも、就寝中の人の睡眠が妨げられる事態を回避することができる。
【００４５】
また、このテレビ１では、所定の操作キー３１に対する操作に開始操作を対応付け可能に構成され、制御部２３が、指示操作と共に所定の操作キー３１が操作されたときに一部領域表示処理を実行する。このため、例えば開始操作専用の操作キーを備える構成と比較して、リモコン３の部品点数を低減することができる。したがって、リモコン３を含むテレビ１全体の部品点数を低減することができる結果、テレビ１を安価に提供することができる。また、操作キー３１のうちから操作し易い操作キー３１に対する操作に開始操作を対応付けることができるため、開始操作に対する操作性を向上させることができる。
【００４６】
また、このテレビ１では、所定の操作キー３１に対する操作に開始操作を対応付け可能に構成され、制御部２３が、指示操作が行われた時から表示部１７による映像Ｐの表示が開始されるまでの間に所定の操作キー３１が操作されたときに一部領域表示処理を実行する。このため、例えば開始操作専用の操作キーを備える構成と比較して、リモコン３の部品点数を低減することができる。したがって、リモコン３を含むテレビ１全体の部品点数を低減することができる結果、テレビ１を安価に提供することができる。また、操作キー３１のうちから操作し易い操作キー３１に対する操作に開始操作を対応付けることができるため、開始操作に対する操作性を向上させることができる。
【００４７】
また、このテレビ１では、制御部２３が、一部領域表示処理の実行時において、設定された大きさの領域Ａｐに映像Ｐを表示させる。このため、例えば、ユーザーは、睡眠の妨げ回避を考慮した上で、領域Ａｐの大きさを所望の大きさとなるように自由に設定することができる。
【００４８】
また、このテレビ１では、全表示領域Ａａにおける領域Ａｐの位置を設定可能に構成され、制御部２３が、設定された位置の一部の領域に映像を表示させる。このため、例えば、領域Ａｐの位置を全表示領域Ａａの下側（例えば右下）に設定することで、表示部１７の前方で視聴しているユーザーによって領域Ａｐから放射される光の室内への拡散が阻まれるため、放射された光によって室内が必要以上に明るくなる事態を回避することができる結果、映像表示に伴う光の放射に起因する不都合を確実に解消することができる。
【００４９】
また、このテレビ１では、一部領域表示処理の実行時において終了操作（つまりアップキー３１ｃに対する操作）が行われたときに、制御部２３が、全表示領域Ａａに映像Ｐを表示させる。このため、終了操作を行うだけで全表示領域Ａａに映像Ｐを大きく表示させることができる結果、例えばテレビを停止した後に改めてテレビを動作させることで全表示領域Ａａに映像Ｐを表示させる構成と比較して、全表示領域Ａａに対して映像Ｐを容易に表示させることができる。
【００５０】
なお、本発明は、上記の構成に限定されない。例えば、領域Ａｐの大きさを設定画面Ｐｓ上で設定する構成例について説明したが、これに限定されない。例えば、開始操作としてのダウンキー３１ｄに対する操作と共にチャンネル指定キー３１ｂを操作することにより、チャンネル指定キー３１ｂに対応付けられている数字の逆数として表される比率を全表示領域Ａａに対する領域Ａｐの面積比として決定する構成を採用することもできる。例えば、数字の「９」に対応付けられたチャンネル指定キー３１ｂが電源キー３１ａと共に操作されたときには、制御部２３は、全表示領域Ａａに対する領域Ａｐの面積比を１／９に決定する。次いで、制御部２３は、上記の処理と同様に処理して、図６に示すように、全表示領域Ａａに対する面積比が１／９の領域Ａｐに、１／９に縮小した映像Ｐを表示させる。この構成によれば、設定画面Ｐｓを表示させることなく領域Ａｐの大きさを設定することができるため、設定画面Ｐｓを表示させるための設定キー３１ｅが不要となり、リモコン３を安価に構成することができる結果、テレビ１を安価に提供することができる。
【００５１】
また、ダウンキー３１ｄに対する操作に開始操作を対応付ける構成について上記したが、ダウンキー３１ｄ以外の操作キー３１に対する操作に開始操作を対応付けることもできる。例えば、アップキー３１ｃに対する操作に開始操作を対応付けることも当然可能であり、チャンネル指定キー３１ｂのいずれかに対する操作に開始操作を対応付けることも可能である。さらに、外部装置１００のリモコンや汎用のリモコン等のリモコン３以外の各種のリモコンにおける操作キーに対する操作に開始操作を対応付けることもできる。同様にして、各種の操作キーに対する操作に終了操作を対応付けることもできる。
【００５２】
また、本体部２とは別体に形成されたリモコン３を本発明における操作部の一例として説明したが、本発明における操作部の構成はこれに限定されず、本体部２に一体形成してもよい。また、光学エンジンおよびスクリーンパネルを有する表示部１７を備えたプロジェクションテレビ１に本発明を適用した例について上記したが、ＣＲＴ、液晶表示パネルおよびプラズマディスプレイ等で構成された表示部を備えたテレビに本発明を適用することもできる。
【図面の簡単な説明】
【００５３】
【図１】プロジェクションテレビ１の構成を示すブロック図である。
【図２】プロジェクションテレビ１の正面図である。
【図３】表示開始処理５０のフローチャートである。
【図４】設定画面Ｐｓの表示画面図である。
【図５】領域Ａｐに表示された映像Ｐの一例を示す表示画面図である。
【図６】領域Ａｐに表示された映像Ｐの他の一例を示す表示画面図である。
【符号の説明】
【００５４】
１  プロジェクションテレビ、３  リモコン、１７  表示部、２３  制御部、２４  設定情報保存部、３１ａ  電源キー、３１ｂ  チャンネル指定キー、３１ｃ  アップキー、３１ｄ  ダウンキー、３１ｅ  設定キー、５０  表示開始処理、Ａａ  全表示領域、Ａｐ  領域、Ｄｓ  設定情報、Ｐ  映像、Ｐｓ  設定画面
【図１】
2007208772.tif 000003
【図２】
2007208772.tif 000004
【図３】
2007208772.tif 000005
【図４】
2007208772.tif 000006
【図５】
2007208772.tif 000007
【図６】
2007208772.tif 000008